(57)【特許請求の範囲】
【請求項１】
各々が複数のシンボルを含んだ１つまたは２つ以上のデータストリームのＰＣＩおよびＣＱＩを推定する方法であって、
（ａ）１つまたは２つ以上の送信アンテナから複数のシンボルを受け取ること、
（ｂ）測定期間にわたる前記複数のシンボルの平均チャネル推定値を計算すること、
（ｃ）前記平均化されたチャネル推定値からチャネルマトリックスを形成すること、
（ｄ）前記チャネルマトリックスに基づいて各ＰＣＩの閉ループモードと開ループモードとの間の電力比を計算すること、
（ｅ）前記１つまたは２つ以上の送信アンテナに対応する１つまたは２つ以上の受信信号コード電力（ＲＳＣＰ：Ｒｅｃｅｉｖｅｄ  Ｓｉｇｎａｌ  Ｃｏｄｅ  Ｐｏｗｅｒ）値および１つまたは２つ以上の干渉信号コード電力（ＩＳＣＰ：Ｉｎｔｅｒｆｅｒｅｎｃｅ  Ｓｉｇｎａｌ  Ｃｏｄｅ  Ｐｏｗｅｒ）値を計算すること、
（ｆ）前記１つまたは２つ以上のアンテナの前記ＲＳＣＰ値およびＩＳＣＰ値の両方を平均化し、平均化されたＲＳＣＰ値および平均化されたＩＳＣＰ値を提供すること、
（ｇ）前記平均化されたＲＳＣＰおよびＩＳＣＰから開ループＳＩＮＲを計算すること、
（ｈ）前記電力比と前記開ループＳＩＮＲとから各ＰＣＩの１つまたは２つ以上のストリームのＳＩＮＲを計算すること、
（ｉ）前記計算されたＳＩＮＲを用いてシングルストリームＣＱＩ表からシングルストリームのトランスポートブロックサイズ（ＴＢＳ：Ｔｒａｎｓｐｏｒｔ  Ｂｌｏｃｋ  Ｓｉｚｅ）を決定すること、
（ｊ）前記計算されたＳＩＮＲを用いてデュアルストリームＣＱＩ表からすべてのストリームのＴＢＳを決定すること、
（ｋ）前記シングルストリームのＴＢＳと前記デュアルストリームの総ＴＢＳを比較して、シングルストリームまたはデュアルストリームが選択されるべきかどうかを判定すること、
（ｌ）前記１つまたは複数のストリームのＰＣＩおよびＣＱＩを決定すること、
を含む方法。
【請求項２】
前記１つまたは２つ以上の送信アンテナに対応する３つのＲＳＣＰ値および３つのＩＳＣＰ値が生成される、請求項１に記載の方法。
【請求項３】
前記平均チャネル推定値の計算で、前記測定期間は、Ｎ＝２０＋２Ａとなるような、２つのスロットの１０個のシンボルと該スロットの両端の他のスロットのＡ個のシンボルとを含んだＮ個のシンボルの期間で決定される、請求項１に記載の方法。
【請求項４】
前記平均チャネル推定値の計算で、該平均チャネル推定値の計算は次式で求められ、
【数１】
0005549896.tif 000040
ここで、
【数２】
0005549896.tif 000041
は、ｌ番目の経路のａ番目の受信アンテナ、ｂ番目の送信アンテナのｉ番目のチャネル推定値であり、Ｍは測定期間のシンボル数である、請求項１に記載の方法。
【請求項５】
前記チャネルマトリックスの形成で、該チャネルマトリックスは次式で形成される、
【数３】
0005549896.tif 000042
請求項１に記載の方法。
【請求項６】
前記電力比の計算で、該電力比は次式で計算される、
【数４】
0005549896.tif 000043
請求項１に記載の方法。
【請求項７】
前記ＳＩＮＲの計算で、各ＰＣＩの前記１つまたは２つ以上のストリームに対するＳＩＮＲは次式で計算される、
【数５】
0005549896.tif 000044
請求項１に記載の方法。
【請求項８】
前記シングルストリームのＴＢＳの決定で、該ＴＢＳは、式、
【数６】
0005549896.tif 000045
で決定される、請求項１に記載の方法。
【請求項９】
前記すべてのストリームのＴＢＳの決定で、該ＴＢＳは、式、
【数７】
0005549896.tif 000046
で決定される、請求項１に記載の方法。
【請求項１０】
前記ＴＢＳの比較で、シングルストリームかデュアルストリームかは次式で判定される、
ＴＢＳｘ（ｋｘｙ，ｍａｘ）＋ＴＢＳｙ（ｋｘｙ，ｍａｘ）＞ＴＢＳｘ（ｋｘ，ｍａｘ）の場合、デュアルストリーム
ＴＢＳｘ（ｋｘｙ，ｍａｘ）＋ＴＢＳｙ（ｋｘｙ，ｍａｘ）≦ＴＢＳｘ（ｋｘ，ｍａｘ）の場合、シングルストリーム、
請求項１に記載の方法。
【請求項１１】
前記ＰＣＩおよびＣＱＩの決定で、シングルストリームと判定された場合、ＰＣＩ＝ｋｘ，ｍａｘ、およびＣＱＩ＝ＴＢＳｘ（ｋｘ，ｍａｘ）に対応するＣＱＩとなる、請求項１に記載の方法。
【請求項１２】
前記ＰＣＩおよびＣＱＩの決定で、デュアルストリームと判定された場合、
ＰＣＩ＝ｋｘｙ，ｍａｘ
ＣＱＩ−ｘ＝ＴＢＳｘ（ｋｘｙ，ｍａｘ）に対応するＣＱＩ
ＣＱＩ−ｙ＝ＴＢＳｙ（ｋｘｙ，ｍａｘ）に対応するＣＱＩ
となる、請求項１に記載の方法。
【請求項１３】
前記３つのＲＳＣＰ値が次式で計算され、
【数８】
0005549896.tif 000047
ここで、
ｆｂ（ｍ，ｎ）は、ｂ番目の送信アンテナのｎ番目のスロットのｍ番目のシンボルを表し、
ｐｂ（ｍ，ｎ）は、ｆｂ（ｍ，ｎ）のパターンを表し、
ｂ＝１，２、
λはＲＳＣＰｂ（１）およびＲＳＣＰｂ（３）の計算に使用されるシンボル数であり、
θはＲＳＣＰｂ（２）の計算に使用されるシンボル数であり、
【数９】
0005549896.tif 000048
請求項２に記載の方法。
【請求項１４】
前記３つのＩＳＣＰ値は次式で計算され、
【数１０】
0005549896.tif 000049
ここで、
ｆｂ（ｍ，ｎ）は、ｂ番目の送信アンテナのｎ番目のスロットのｍ番目のシンボルを表し、
ｐｂ（ｍ，ｎ）は、ｆｂ（ｍ，ｎ）のパターンを表し、
ｂ＝１，２、
λはＲＳＣＰｂ（１）およびＲＳＣＰｂ（３）の計算に使用されるシンボル数であり、
θはＲＳＣＰｂ（２）の計算に使用されるシンボル数であり、
【数１１】
0005549896.tif 000050
請求項２に記載の方法。
【請求項１５】
前記測定期間は、（ｎ−１）番目のスロットの最後のＡ個のシンボルと、ｎ番目のスロットと、（ｎ＋１）番目のスロットと、（ｎ＋２）番目のスロットの最初のＡ個のシンボルとから成る、請求項１２または１３に記載の方法。
【請求項１６】
Ａ＝５である請求項１５に記載の方法。
【請求項１７】
前記平均化で、ＲＳＣＰおよびＩＳＣＰの値は次式で平均化され、
【数１２】
0005549896.tif 000051
ここで、ｇＲＳＣＰ（ｋ）およびｇＩＳＣＰ（ｋ）は重み付け係数である、
請求項１に記載の方法。
【請求項１８】
前記重み付け係数は、
ｇＲＳＣＰ（ｋ）＝［０，０，１／２］
ｇＩＳＣＰ（ｋ）＝［１／６，１／６，１／６］
で与えられる、
請求項１７に記載の方法。
【請求項１９】
前記測定期間がスロット番号ｎ＝０で始まる場合、ＲＳＣＰおよびＩＳＣＰは、式、
【数１３】
0005549896.tif 000052
で求められる、請求項１３または１４に記載の方法。
【請求項２０】
前記開ループＳＩＮＲの計算で、ＳＩＮＲは、式、
【数１４】
0005549896.tif 000053
で計算される、請求項１に記載の方法。
【請求項２１】
前記開ループＳＩＮＲの計算で、ＳＩＮＲは、式、
【数１５】
0005549896.tif 000054
で計算され、ここで、ＲＳＣＰｃｕｒｒｅｎｔは、当測定期間中に計算されたＲＳＣＰを表し、ＩＳＣＰｃｕｒｒｅｎｔおよびＩＳＣＰｐｒｅｖｉｏｕｓは、それぞれ当測定期間中および前測定期間中に計算されたＩＳＣＰを表す、請求項１に記載の方法。
【請求項２２】
各々が複数のシンボルを含んだ１つまたは２つ以上のデータストリームのＰＣＩおよびＣＱＩを推定する装置であって、
（ａ）１つまたは２つ以上の送信アンテナから複数のシンボルを受け取る受付部と、
（ｂ）測定期間にわたる前記複数のシンボルの平均チャネル推定値を計算する第１計算部と、
（ｃ）前記平均化されたチャネル推定値からチャネルマトリックスを形成する形成部と、
（ｄ）前記チャネルマトリックスに基づいて各ＰＣＩの閉ループモードと開ループモードとの間の電力比を計算する第２計算部と、
（ｅ）前記１つまたは２つ以上の送信アンテナに対応する１つまたは２つ以上の受信信号コード電力（ＲＳＣＰ：Ｒｅｃｅｉｖｅｄ  Ｓｉｇｎａｌ  Ｃｏｄｅ  Ｐｏｗｅｒ）値および１つまたは２つ以上の干渉信号コード電力（ＩＳＣＰ：Ｉｎｔｅｒｆｅｒｅｎｃｅ  Ｓｉｇｎａｌ  Ｃｏｄｅ  Ｐｏｗｅｒ）値を計算する第３計算部と、
（ｆ）前記１つまたは２つ以上のアンテナの前記ＲＳＣＰ値およびＩＳＣＰ値の両方を平均化し、平均化されたＲＳＣＰ値および平均化されたＩＳＣＰ値を提供する平均部と、
（ｇ）前記平均化されたＲＳＣＰおよびＩＳＣＰから開ループＳＩＮＲを計算する第４計算部と、
（ｈ）前記電力比と前記開ループＳＩＮＲとから各ＰＣＩの１つまたは２つ以上のストリームのＳＩＮＲを計算する第５計算部と、
（ｉ）前記計算されたＳＩＮＲを用いてシングルストリームＣＱＩ表からシングルストリームのトランスポートブロックサイズ（ＴＢＳ：Ｔｒａｎｓｐｏｒｔ  Ｂｌｏｃｋ  Ｓｉｚｅ）を決定する第１決定部と、
（ｊ）前記計算されたＳＩＮＲを用いてデュアルストリームＣＱＩ表からすべてのストリームのＴＢＳを決定する第２決定部と、
（ｋ）前記シングルストリームのＴＢＳと前記デュアルストリームの総ＴＢＳを比較して、シングルストリームまたはデュアルストリームが選択されるべきかどうかを判定する比較部と、
（ｌ）前記１つまたは複数のストリームのＰＣＩおよびＣＱＩを決定する第３決定部と、
を含む装置。
【請求項２３】
前記１つまたは２つ以上の送信アンテナに対応する３つのＲＳＣＰ値および３つのＩＳＣＰ値が生成される、請求項２２に記載の装置。
【請求項２４】
前記平均チャネル推定値の計算で、前記測定期間は、Ｎ＝２０＋２Ａとなるような、２つのスロットの１０個のシンボルと該スロットの両端の他のスロットのＡ個のシンボルとを含んだＮ個のシンボルの期間で決定される、請求項２２に記載の装置。
【請求項２５】
前記平均チャネル推定値の計算で、該平均チャネル推定値の計算は次式で求められ、
【数１６】
0005549896.tif 000055
ここで、
【数１７】
0005549896.tif 000056
は、ｌ番目の経路のａ番目の受信アンテナ、ｂ番目の送信アンテナのｉ番目のチャネル推定値であり、Ｍは測定期間のシンボル数である、請求項２２に記載の装置。
【請求項２６】
前記チャネルマトリックスの形成で、該チャネルマトリックスは次式で形成される、
【数１８】
0005549896.tif 000057
請求項２２に記載の装置。
【請求項２７】
前記電力比の計算で、該電力比は次式で計算される、
【数１９】
0005549896.tif 000058
請求項２２に記載の装置。
【請求項２８】
前記ＳＩＮＲの計算で、各ＰＣＩの前記１つまたは２つ以上のストリームに対するＳＩＮＲは次式で計算される、
【数２０】
0005549896.tif 000059
請求項２２に記載の装置。
【請求項２９】
前記シングルストリームのＴＢＳの決定で、該ＴＢＳは、式、
【数２１】
0005549896.tif 000060
で決定される、請求項２２に記載の装置。
【請求項３０】
前記すべてのストリームのＴＢＳの決定で、該ＴＢＳは、式、
【数２２】
0005549896.tif 000061
で決定される、請求項２２に記載の装置。
【請求項３１】
前記ＴＢＳの比較で、シングルストリームかデュアルストリームかは次式で判定される、
ＴＢＳｘ（ｋｘｙ，ｍａｘ）＋ＴＢＳｙ（ｋｘｙ，ｍａｘ）＞ＴＢＳｘ（ｋｘ，ｍａｘ）の場合、デュアルストリーム
ＴＢＳｘ（ｋｘｙ，ｍａｘ）＋ＴＢＳｙ（ｋｘｙ，ｍａｘ）≦ＴＢＳｘ（ｋｘ，ｍａｘ）の場合、シングルストリーム、
請求項２２に記載の装置。
【請求項３２】
前記ＰＣＩおよびＣＱＩの決定で、シングルストリームと判定された場合、ＰＣＩ＝ｋｘ，ｍａｘ、およびＣＱＩ＝ＴＢＳｘ（ｋｘ，ｍａｘ）に対応するＣＱＩとなる、請求項２２に記載の装置。
【請求項３３】
前記ＰＣＩおよびＣＱＩの決定で、デュアルストリームと判定された場合、
ＰＣＩ＝ｋｘｙ，ｍａｘ
ＣＱＩ−ｘ＝ＴＢＳｘ（ｋｘｙ，ｍａｘ）に対応するＣＱＩ
ＣＱＩ−ｙ＝ＴＢＳｙ（ｋｘｙ，ｍａｘ）に対応するＣＱＩ
となる、請求項２２に記載の装置。
【請求項３４】
前記３つのＲＳＣＰ値が次式で計算され、
【数２３】
0005549896.tif 000062
ここで、
ｆｂ（ｍ，ｎ）は、ｂ番目の送信アンテナのｎ番目のスロットのｍ番目のシンボルを表し、
ｐｂ（ｍ，ｎ）は、ｆｂ（ｍ，ｎ）のパターンを表し、
ｂ＝１，２、
λはＲＳＣＰｂ（１）およびＲＳＣＰｂ（３）の計算に使用されるシンボル数であり、
θはＲＳＣＰｂ（２）の計算に使用されるシンボル数であり、
【数２４】
0005549896.tif 000063
請求項２３に記載の装置。
【請求項３５】
前記３つのＩＳＣＰ値は次式で計算され、
【数２５】
0005549896.tif 000064
ここで、
ｆｂ（ｍ，ｎ）は、ｂ番目の送信アンテナのｎ番目のスロットのｍ番目のシンボルを表し、
ｐｂ（ｍ，ｎ）は、ｆｂ（ｍ，ｎ）のパターンを表し、
ｂ＝１，２、
λはＲＳＣＰｂ（１）およびＲＳＣＰｂ（３）の計算に使用されるシンボル数であり、
θはＲＳＣＰｂ（２）の計算に使用されるシンボル数であり、
【数２６】
0005549896.tif 000065
請求項２３に記載の装置。
【請求項３６】
前記測定期間は、（ｎ−１）番目のスロットの最後のＡ個のシンボルと、ｎ番目のスロットと、（ｎ＋１）番目のスロットと、（ｎ＋２）番目のスロットの最初のＡ個のシンボルとから成る、請求項３３または３４に記載の装置。
【請求項３７】
Ａ＝５である請求項３６に記載の装置。
【請求項３８】
前記平均化で、ＲＳＣＰおよびＩＳＣＰの値は次式で平均化され、
【数２７】
0005549896.tif 000066
ここで、ｇＲＳＣＰ（ｋ）およびｇＩＳＣＰ（ｋ）は重み付け係数である、
請求項２２に記載の装置。
【請求項３９】
前記重み付け係数は、
ｇＲＳＣＰ（ｋ）＝［０，０，１／２］
ｇＩＳＣＰ（ｋ）＝［１／６，１／６，１／６］
で与えられる、
請求項３８に記載の装置。
【請求項４０】
前記測定期間がスロット番号ｎ＝０で始まる場合、ＲＳＣＰおよびＩＳＣＰは、式、
【数２８】
0005549896.tif 000067
で求められる、請求項３４または３５に記載の装置。
【請求項４１】
前記開ループＳＩＮＲの計算で、ＳＩＮＲは、式、
【数２９】
0005549896.tif 000068
で計算される、請求項２２に記載の装置。
【請求項４２】
前記開ループＳＩＮＲの計算で、ＳＩＮＲは、式、
【数３０】
0005549896.tif 000069
で計算され、ここで、ＲＳＣＰｃｕｒｒｅｎｔは、当測定期間中に計算されたＲＳＣＰを表し、ＩＳＣＰｃｕｒｒｅｎｔおよびＩＳＣＰｐｒｅｖｉｏｕｓは、それぞれ当測定期間中および前測定期間中に計算されたＩＳＣＰを表す、請求項２２に記載の装置。
【発明の詳細な説明】
【技術分野】
【０００１】
［関連出願の相互参照］
本出願は２００９年８月２５日に出願されたオーストラリの仮特許出願番号第２００９９０４０４６号に基づいており、該特許からその優先権の利益を主張し、その開示内容は全体として参照によりここに組み込まれている。
【０００２】
本発明は無線通信システムに関し、より詳細には、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、特に多入力多出力（ＭＩＭＯ：Ｍｕｌｔｉｐｌｅ  Ｉｎｐｕｔ  Ｍｕｌｔｉｐｌｅ  Ｏｕｔｐｕｔ）ＣＤＭＡシステムにおけるプリコーディング制御インジケータ（ＰＣＩ：Ｐｒｅｃｏｄｉｎｇ  Ｃｏｎｔｒｏｌ  Ｉｎｄｉｃａｔｏｒ）およびチャネル品質インジケータ（ＣＱＩ：Ｃｈａｎｎｅｌ  Ｑｕａｌｉｔｙ  Ｉｎｄｉｃａｔｏｒ）推定の方法に関する。
【背景技術】
【０００３】
ＭＩＭＯ  ＣＤＭＡシステムでは、ＰＣＩおよびＣＱＩといったパラメータはシステムのスループットに影響を与えるので、該ＰＣＩおよびＣＱＩを推定することが望ましい。
【発明の概要】
【発明が解決しようとする課題】
【０００４】
したがって、ＳＩＮＲ、ＰＣＩ、およびＣＱＩを推定する簡単で有効な方法を提供することが望ましい。すべての伝送モード（例えばＭＩＭＯ、ＳＩＳＯなど）に使用することができるＳＩＮＲ計算方法を提供することはさらに望ましい。
【０００５】
なお、先行技術として与えられるあらゆる事項に対するここでの言及は、本明細書の一部を構成する特許請求の範囲の優先日の時点で、この事はオーストラリアまたは他の国々で既に知られていた、またはそれが含んでいる情報は共通の一般知識の一部であったということの承認として解釈されるべきでないことが理解されよう。
【課題を解決するための手段】
【０００６】
この点を考慮して、本発明の１つの態様は、各々が複数のシンボルを含んだ１つまたは２つ以上のデータストリームのＰＣＩおよびＣＱＩを推定する方法を提供し、該方法は、
（ａ）１つまたは２つ以上のアンテナから複数のシンボルを受け取ること、
（ｂ）測定期間にわたる複数のシンボルの平均チャネル推定値を計算すること、
（ｃ）平均化されたチャネル推定値からチャネルマトリックスを形成すること、
（ｄ）チャネルマトリックスに基づいて各ＰＣＩの閉ループモードと開ループモードとの間の電力比を計算すること、
（ｅ）１つまたは２つ以上の送信アンテナに対応する１つまたは２つ以上の受信信号コード電力（ＲＳＣＰ：Ｒｅｃｅｉｖｅｄ  Ｓｉｇｎａｌ  Ｃｏｄｅ  Ｐｏｗｅｒ）値および１つまたは２つ以上の干渉信号コード電力（ＩＳＣＰ：Ｉｎｔｅｒｆｅｒｅｎｃｅ  Ｓｉｇｎａｌ  Ｃｏｄｅ  Ｐｏｗｅｒ）値を計算すること、
（ｆ）１つまたは２つ以上のアンテナのＲＳＣＰ値およびＩＳＣＰ値の両方を平均化し、平均化されたＲＳＣＰ値および平均化されたＩＳＣＰ値を提供すること、
（ｇ）平均化されたＲＳＣＰおよびＩＳＣＰから開ループＳＩＮＲを計算すること、
（ｈ）電力比と開ループＳＩＮＲとから各ＰＣＩの１つまたは２つ以上のストリームのＳＩＮＲを計算すること、
（ｉ）計算されたＳＩＮＲを用いてシングルストリームＣＱＩ表からシングルストリームのトランスポートブロックサイズ（ＴＢＳ：Ｔｒａｎｓｐｏｒｔ  Ｂｌｏｃｋ  Ｓｉｚｅ）を決定すること、
（ｊ）計算されたＳＩＮＲを用いてデュアルストリームＣＱＩ表からすべてのストリームのＴＢＳを決定すること、
（ｋ）シングルストリームのＴＢＳとデュアルストリームの総ＴＢＳを比較して、ＰＣＩがシングルストリームなのかまたはデュアルストリームなのかを判定すること、
（ｌ）複数のストリームのＰＣＩおよびＣＱＩを決定すること、
を含む。
【０００７】
好都合に、ＳＩＮＲ推定の簡単で有効な方法は、閉ループと開ループとの間の電力比の推定に基づいて提供される。さらなる利点は、ＳＩＮＲ計算はすべての伝送モードに使用することができる。
【０００８】
ＰＣＩは重みｗ２（ｋ）のインデックスｋであり、３ＧＰＰ標準は重みｗ１、ｗ２（ｋ）、ｗ３、ｗ４（ｋ）を次式のように定義している。
【０００９】
【数１】
0005549896.tif 000002
【００１０】
好ましくは、１つまたは２つ以上の送信アンテナに対応する３つのＲＳＣＰ値および３つのＩＳＣＰ値が生成される。
【００１１】
好ましくは、ステップ（ｂ）で、測定期間は、Ｎ＝２０＋２Ａとなるような、２つのスロットの１０個のシンボルと該スロットの両端の他のスロットのＡ個のシンボルとを含んだＮ個のシンボルの期間で決定される。
【００１２】
好ましくは、ステップ（ｂ）で、平均チャネル推定値を計算することは次式で求められる。
【００１３】
【数２】
0005549896.tif 000003
【００１４】
ここで、
【００１５】
【数３】
0005549896.tif 000004
【００１６】
は、ｌ番目の経路のａ番目の受信アンテナ、ｂ番目の送信アンテナのｉ番目のチャネル推定値であり、Ｍは測定期間のシンボル数である。
【００１７】
好ましくは、ステップ（ｃ）で、チャネルマトリックスは次式で与えられる。
【００１８】
【数４】
0005549896.tif 000005
【００１９】
好ましくは、ステップ（ｄ）で、電力比は次式で計算される。
【００２０】
【数５】
0005549896.tif 000006
【００２１】
好ましくは、ステップ（ｈ）で、各ＰＣＩの１つまたは２つ以上のストリームに対するＳＩＮＲは次式で計算される。
【００２２】
【数６】
0005549896.tif 000007
【００２３】
好ましくは、ステップ（ｉ）で、ＴＢＳは次式で求められる。
【００２４】
【数７】
0005549896.tif 000008
【００２５】
好ましくは、ステップ（ｊ）で、ＴＢＳは次式で求められる。
【００２６】
【数８】
0005549896.tif 000009
【００２７】
好ましくは、ステップ（ｋ）で、ＰＣＩがシングルストリームかデュアルストリームかは次式で判定される。
【００２８】
【数９】
0005549896.tif 000010
【００２９】
の場合、デュアルストリーム。
【００３０】
【数１０】
0005549896.tif 000011
【００３１】
の場合、シングルストリーム。
【００３２】
好ましくは、ステップ（ｌ）で、ＰＣＩがシングルストリームと判定された場合、
【００３３】
【数１１】
0005549896.tif 000012
【００３４】
となる。
【００３５】
あるいは、ステップ（ｌ）で、ＰＣＩがデュアルストリームと判定された場合、
【００３６】
【数１２】
0005549896.tif 000013
【００３７】
となる。
【００３８】
好ましくは、３つのＲＳＣＰ値が次式で計算される。
【００３９】
【数１３】
0005549896.tif 000014
【００４０】
ここで、ｆｂ（ｍ，ｎ）は、ｂ番目の送信アンテナのｎ番目のスロットのｍ番目のシンボルを表し、ｐｂ（ｍ，ｎ）は、ｆｂ（ｍ，ｎ）のパターンを表し、
ｂ＝１，２、
λはＲＳＣＰｂ（１）およびＲＳＣＰｂ（３）の計算に使用されるシンボル数であり、
θはＲＳＣＰｂ（２）の計算に使用されるシンボル数であり、
【００４１】
【数１４】
0005549896.tif 000015
【００４２】
ｐｂ（ｍ，ｎ）は、送信機の元のＣＰＩＣＨであり、ｆｂ（ｍ，ｎ）は、受信機で受け取られるＣＰＩＣＨである。
【００４３】
好ましくは、３つのＩＳＣＰ値が次式で計算される。
【００４４】
【数１５】
0005549896.tif 000016
【００４５】
ここで、ｆｂ（ｍ，ｎ）は、ｂ番目の送信アンテナのｎ番目のスロットのｍ番目のシンボルを表し、ｐｂ（ｍ，ｎ）は、ｆｂ（ｍ，ｎ）のパターンを表し、
ｂ＝ｌ，２、
λはＲＳＣＰｂ（１）およびＲＳＣＰｂ（３）の計算に使用されるシンボル数であり、
θはＲＳＣＰｂ（２）の計算に使用されるシンボル数であり、
【００４６】
【数１６】
0005549896.tif 000017
【００４７】
好ましくは、測定期間は、（ｎ−１）番目のスロットの最後のＡ個のシンボルと、ｎ番目のスロットと、（ｎ＋１）番目のスロットと、（ｎ＋２）番目のスロットの最初のＡ個のシンボルとから成る。
【００４８】
好ましくは、Ａ＝５である。
【００４９】
好ましくは、ステップ（ｆ）で、ＲＳＣＰおよびＩＳＣＰの値は次式で平均化される。
【００５０】
【数１７】
0005549896.tif 000018
【００５１】
ここで、ｇＲＳＣＰ（ｋ）およびｇＩＳＣＰ（ｋ）は重み付け係数である。
【００５２】
好ましくは、重み付け係数は次式で与えられる。
【００５３】
【数１８】
0005549896.tif 000019
【００５４】
代替の方法において、測定期間がスロット番号ｎ＝０から始まる場合、ＲＳＣＰおよびＩＳＣＰは、式、
【００５５】
【数１９】
0005549896.tif 000020
【００５６】
で求められる。
【００５７】
好ましくは、ステップ（ｈ）で、ＳＩＮＲは、式、
【００５８】
【数２０】
0005549896.tif 000021
【００５９】
で計算される。
【００６０】
あるいは、ステップ（ｈ）で、ＳＩＮＲは、式、
【００６１】
【数２１】
0005549896.tif 000022
【００６２】
で計算され、
ここで、ＲＳＣＰｃｕｒｒｅｎｔおよびＲＳＣＰｐｒｅｖｉｏｕｓは、それぞれ当測定期間中および前測定期間中に計算されたＲＳＣＰを表し、ＩＳＣＰｃｕｒｒｅｎｔおよびＩＳＣＰｐｒｅｖｉｏｕｓは、それぞれ当測定期間中および前測定期間中に計算されたＩＳＣＰを表す。
【００６３】
以下の説明は、本発明の種々の特徴およびステップについてより詳細に言及している。本発明についての理解を容易にするために、本発明が好ましい実施形態で例証される添付の図面ついて本明細書で説明する。しかしながら、本発明が図面に例証しているような好ましい実施形態に限定されないことは当然理解されるであろう。
【図面の簡単な説明】
【００６４】
【図１】本発明の方法のフローチャートである。
【図２】測定期間のタイミングの概略図である。
【図３】測定期間の概略図である。
【発明を実施するための形態】
【００６５】
ここで図１を参照して、１つまたは２つ以上のデータストリームのＰＣＩおよびＣＱＩを推定する方法が示されている。該方法は、閉ループと開ループとの間の信号電力の比の推定に基づいている。方法１００は、チャネル推定値の入力を得てステップ１０５〜１１５で電力比を計算し、非拡散共通パイロットチャネル（ｄｅ−ｓｐｒｅａｄｅｄ  ＣＰＩＣＨ：ｄｅ−ｓｐｒｅａｄｅｄ  Ｃｏｍｍｏｎ  Ｐｉｌｏｔ  Ｃｈａｎｎｅｌ）の入力を得て、ステップ１３０からステップ１４０に示すように開ループＳＩＮＲを計算する。１つの例として、測定期間が、０，．．．，９９のインデックスを付けられたＬ＝１００個のシンボルの場合、９５、９６、９７、９８、９９とインデックスを付けられた最後のＭ＝５個のシンボルが用いられてもよい。測定期間に関してより詳細に以下に説明する。
【００６６】
次に、制御は、チャネルマトリックスがステップ１０５の平均チャネル推定値から形成されるステップ１１０に移る。測定期間の最後のＭ個のシンボルのチャネル推定値の平均は次式で計算される。
【００６７】
【数２２】
0005549896.tif 000023
【００６８】
ここで、
【００６９】
【数２３】
0005549896.tif 000024
【００７０】
は、ｌ番目の経路のａ番目の受信アンテナ、ｂ番目の送信アンテナのｉ番目のチャネル推定値である。チャネルマトリックスは次式で与えられる。
【００７１】
【数２４】
0005549896.tif 000025
【００７２】
いったんチャネルマトリックスが決定されると、制御は、各ＰＣＩに対して（すなわち各ｗ２（ｋ）に対して）、閉ループモードと開ループモードとの間の電力比が次式に従って計算されるステップ１１５に移る。
【００７３】
【数２５】
0005549896.tif 000026
【００７４】
ステップ１２０は、ステップ１１５で計算された電力比とステップ１４０で計算された開ループＳＩＮＲとから、各ＰＣＩの１つのストリーム当たりのＳＩＮＲを次式に従って計算する。
【００７５】
【数２６】
0005549896.tif 000027
【００７６】
ステップ１３０で、１つまたは２つ以上の送信アンテナに対応する１つまたは２つ以上の受信信号コード電力（ＲＳＣＰ：Ｒｅｃｅｉｖｅｄ  Ｓｉｇｎａｌ  Ｃｏｄｅ  Ｐｏｗｅｒ）値および１つまたは２つ以上の干渉信号コード電力（ＩＳＣＰ：Ｉｎｔｅｒｆｅｒｅｎｃｅ  Ｓｉｇｎａｌ  Ｃｏｄｅ  Ｐｏｗｅｒ）値が計算される。好ましくは、３つのＲＳＣＰおよび３つのＩＳＣＰが各送信アンテナに対して生成される。実際には、３つのＲＳＣＰおよび３つのＩＳＣＰが好結果を提供することは分かっているが、３つ以上または以下のＲＳＣＰ、およびＩＳＣＰを使用することができる。
【００７７】
各送信機に対する３つのＲＳＣＰ値および３つのＩＳＣＰ値が次式で求められる。
【００７８】
【数２７】
0005549896.tif 000028
【００７９】
ここで、ｆｂ（ｍ，ｎ）は、ｂ番目のＴＸ（ＣＰＩＣＨデスプレッダーの出力）のｎ番目のスロットのｍ番目のＣＰＩＣＨシンボルを表し、ｐｂ（ｍ，ｎ）は、ｆｂ（ｍ，ｎ）のパターンを表し、ｐｂ（ｍ，ｎ）は、送信機の元のＣＰＩＣＨであり、ｆｂ（ｍ，ｎ）は、受信機で受け取られるＣＰＩＣＨである。
【００８０】
測定期間は、（ｎ−１）番目のスロットの最後のＡ個のシンボルと、ｎ番目のスロットと、（ｎ＋１）番目のスロットと、（ｎ＋２）番目のスロットの最初のＡ個のシンボルとから成るという推定を行い、ここで、λはＲＳＣＰｂ（１）およびＲＳＣＰｂ（３）の計算に使用されるＣＰＩＣＨシンボル数であり、θはＲＳＣＰｂ（２）の計算に使用されるＣＰＩＣＨシンボル数であり、
【００８１】
【数２８】
0005549896.tif 000029
【００８２】
好ましくは、簡単化のために、経験的にＡ＝５が好結果を提供することが分かっているので、該値が推奨される。
【００８３】
ステップ１２０での他の選択肢では、測定期間がスロット番号ｎ＝０から始まる場合、ＲＳＣＰおよびＩＳＣＰは次式で求められる。
【００８４】
【数２９】
0005549896.tif 000030
【００８５】
次に、制御は、１つまたは２つ以上のアンテナのＲＳＣＰ値およびＩＳＣＰ値の両方が平均化され、平均化されたＲＳＣＰ値および平均化されたＩＳＣＰ値を提供するステップ１３５に移る。平均化は次式で求められる。
【００８６】
【数３０】
0005549896.tif 000031
【００８７】
ここで、ｇＲＳＣＰ（ｋ）およびｇＩＳＣＰ（ｋ）は重み付け係数である。好ましくは、重み付け係数の値は次式のとおりである。
【００８８】
【数３１】
0005549896.tif 000032
【００８９】
上記の重み付け係数は最後に計算されたＲＳＣＰ値を使用したい要望に基づいて選択されたので、［０，０，１／２］が使用される。１／２という値は２つのアンテナのＲＳＣＰの和から導き出される、したがってそれを平均化することはこの値を２で割る必要がある。さらに、該重み付け係数は計算されたＩＳＣＰをすべて使用したい要望に基づいて選択されたので、［１／６，１／６，１／６］が使用される。１／６の値は、２つのアンテナと３つのスロット（ｋ＝１，２，３）のＩＳＣＰの和から来る、すなわち該和は６つの値の総和である。したがって、平均化するには、この値を６で割る必要がある。
【００９０】
次に、制御は、開ループＳＩＮＲがステップ１３５で決定された平均化されたＲＳＣＰおよびＩＳＣＰから計算される、ステップ１４０に移る。ＳＩＮＲは次式で計算される。
【００９１】
【数３２】
0005549896.tif 000033
【００９２】
あるいは、ＳＩＮＲは次式で計算されてもよい。
【００９３】
【数３３】
0005549896.tif 000034
【００９４】
ここで、ＲＳＣＰｃｕｒｒｅｎｔおよびＲＳＣＰｐｒｅｖｉｏｕｓは、それぞれ当測定期間中および前測定期間中に計算されたＲＳＣＰを表し、ＩＳＣＰｃｕｒｒｅｎｔおよびＩＳＣＰｐｒｅｖｉｏｕｓは、それぞれ当測定期間中および前測定期間中に計算されたＩＳＣＰを表す。好都合に、チャネルが速く変化しない場合、第２の方法が計算結果を改善する可能性がある。
【００９５】
次に、制御は、ステップ１１５で決定されたような電力比とステップ１４０で決定されたような開ループＳＩＮＲとを必要とするステップ１２０に移る。ステップ１２０で、ＳＩＮＲは、電力比と開ループＳＩＮＲ（ＳＩＮＲｘ（ｋ）、ＳＩＮＲｙ（ｋ））とから各ＰＣＩの各ストリームに対して計算される。これは次式で求められる。
【００９６】
【数３４】
0005549896.tif 000035
【００９７】
次に、制御は、ステップ１２０で決定されたような計算されたＳＩＮＲを用いて、シングルストリームＣＱＩ表を介して閉ループモードの転送ブロックサイズ（ＴＢＳ：Ｔｒａｎｓｐｏｒｔ  Ｂｌｏｃｋ  Ｓｉｚｅ）がシングルストリームに対して決定される、ステップ１２５に移る。ＴＢＳｘ（ｋ）はシングルストリームマッピングスキームのＣＱＩ表から見つかり、次式が得られる。
【００９８】
【数３５】
0005549896.tif 000036
【００９９】
さらに、ステップ１２０から、制御は、ステップ１２０で決定されたような計算されたＳＩＮＲを用いて、デュアルストリームＣＱＩ表から各ストリームに対する閉ループモードの転送ブロックサイズ（ＴＢＳ：Ｔｒａｎｓｐｏｒｔ  Ｂｌｏｃｋ  Ｓｉｚｅ）が計算される、ステップ１４５にも移る。ＴＢＳｘ（ｋ）およびＴＢＳｙ（ｋ）はデュアルストリームマッピングスキームのＣＱＩ表から見つかり、次式が得られる。
【０１００】
【数３６】
0005549896.tif 000037
【０１０１】
次に、ステップ１２５およびステップ１４５の出力は、シングルストリームのＴＢＳ（ステップ１２５）とデュアルストリームの総ＴＢＳ（ステップ１４５）との比較が行われて、シングルストリームまたはデュアルストリームが選択されるのを判定するステップ１５０に入力される。特に、これは次式で判定される。
【０１０２】
ＴＢＳｘ（ｋｘｙ，ｍａｘ）＋ＴＢＳｙ（ｋｘｙ，ｍａｘ）＞ＴＢＳｘ（ｋｘ，ｍａｘ）の場合、デュアルストリーム。
【０１０３】
ＴＢＳｘ（ｋｘｙ，ｍａｘ）＋ＴＢＳｙ（ｋｘｙ，ｍａｘ）&#8804;ＴＢＳｘ（ｋｘ，ｍａｘ）の場合、シングルストリーム。
【０１０４】
このステップ１５０のイベントで、ＰＣＩがシングルストリームであると判定された場合、ステップ１５５で次式が得られる。
【０１０５】
【数３７】
0005549896.tif 000038
【０１０６】
あるいは、ステップ１５０で、ＰＣＩがデュアルストリームであると分かった場合、ステップ１５５での出力は次式のようになる。
【０１０７】
【数３８】
0005549896.tif 000039
【０１０８】
最後に、ステップ１５５で、方法は、ストリームの数、各ストリームに対して推定されたＣＱＩ、およびＰＣＩを出力する。好都合に、閉ループＰＣＩおよびＣＱＩ計算を決定する方法が数学的に導き出される。さらに、開ループＳＩＮＲ計算の方法はすべての伝送モードに使用することができる。
【０１０９】
図２は、本発明の方法のダイアグラム１００に詳述しているような測定期間に関連した測定タイミング、特に、測定期間とＣＱＩ参照期間とＣＱＩ期間との間のタイミング調整をより詳細に示している。
【０１１０】
図２は、共通パイロットチャネル（ＣＰＩＣＨ：ｃｏｍｍｏｎ  ｐｉｌｏｔ  ｃｈａｎｎｅｌ）と、高速物理ダウンリンク共有チャネル（ＨＳ−ＰＤＳＣＨ：ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ）と、高速物理ダウンリンク共有チャネルアップリンク（ＨＳ−ＰＤＳＣＨ（アップリンク））とを含んだタイミング図２００を示している。ＣＰＩＣＨ、ＨＳ−ＰＤＳＣＨ、およびＨＳＤＰＣＣＨ（アップリンク）の各々は、いくつかの測定期間２０５、２１０、２１５、および２２０を含む。参照しやすいように、測定期間２２０のみを詳細に説明する。ＣＰＩＣＨの測定期間２２０は、測定期間２２０の終わりとアップリンクＣＱＩ送信スロット（ＨＳＤＰＣＣＨアップリンク）との間の差であるオフセットｔを持っている。測定期間２２０は、Ｎ＝２０＋２Ａとなるように、中央の２つのスロットの１０個のシンボルと２つの端部の他のスロットのＡ個のシンボルとを含んだＮ個のシンボルを含む。
【０１１１】
基地局がパケット番号４にＣＱＩ値を適用するために、ＣＱＩはＣＱＩ４期間２３０中にアップリンクを通して送られる必要がある。この期間中に送るために、ＣＱＩ値はＣＱＩ参照期間２２５の間に計算される必要がある。その結果、ＣＱＩ計算は、測定期間４（２２０）中に測定されたＳＩＮＲを使用する必要がある。
【０１１２】
図３は、本発明の方法のステップ１３５で使用される３２個のシンボルの測定期間を含んだもう１つのタイミング図を示している。特に、図３は、測定期間中の受信信号がＲＳＣＰおよびＩＳＣＰの計算においてどのように使用されるかを示している。測定期間は３２個のシンボルから成る。該測定期間は、スロットｎ−１の中間から始まり、スロットｎ＋２の中間で終わる。該シンボルは３つの重複したグループに分割される。最初のグループと最後のグループは同じ数のシンボルを有する。第２のグループは異なる数のシンボルを有していてもよい。
【０１１３】
方法１００は、１つまたは２つ以上の送信アンテナから複数のシンボルを受け取るシステムで、例えばＣＤＭＡベースのシステム１００で行われる。
【０１１４】
本発明の典型的な実施形態を説明のために開示したが、当業者には本発明の範囲から逸脱することなく種々の修正、追加、および置換が可能であることが理解されよう。したがって、本発明は上記実施形態に限定されるものではなく、添付の特許請求の範囲によって定義される。
【符号の説明】
【０１１５】
１００      ＣＤＭＡベースのシステム
【図１】
0005549896.tif 000070
【図２】
0005549896.tif 000071
【図３】
0005549896.tif 000072